(57)【要約】【課題】指が細長く見えるゴルフ用手袋の提供。【解決手段】手袋１は、甲側地２、掌側地及びマチ６からなる。甲側地２は、甲部８、親指部１０、人差し指部１２、中指部１４、薬指部１６及び小指部１８を有する。掌側地は、掌部、親指部、人差し指部、中指部、薬指部及び小指部を有する。甲側地２の人差し指部１２の高さＨｂ２と掌側地の人差し指部の高さＨｐ２との差（Ｈｂ２−Ｈｐ２）、甲側地２の中指部１４の高さＨｂ３と掌側地の中指部の高さＨｐ３との差（Ｈｂ３−Ｈｐ３）、又は甲側地２の上指部１６の高さＨｂ４と掌側地の薬指部の高さＨｐ４との差（Ｈｂ４−Ｈｐ４）は、１３ｍｍ以上である。【選択図】図１
2014223121.tif 000002
【特許請求の範囲】
【請求項１】
（１）甲部、親指部、人差し指部、中指部、薬指部及び小指部を有する甲側地、
（２）掌部、親指部、人差し指部、中指部、薬指部及び小指部を有する掌側地、
並びに
（３）上記甲側地と上記掌側地との間に位置するマチ
を備えており、
上記甲側地の上記人差し指部の高さＨｂ２と上記掌側地の上記人差し指部の高さＨｐ２との差（Ｈｂ２−Ｈｐ２）、上記甲側地の上記中指部の高さＨｂ３と上記掌側地の上記中指部の高さＨｐ３との差（Ｈｂ３−Ｈｐ３）、又は上記甲側地の上記薬指部の高さＨｂ４と上記掌側地の上記薬指部の高さＨｐ４との差（Ｈｂ４−Ｈｐ４）が、１３ｍｍ以上であるゴルフ用手袋。
【請求項２】
上記差（Ｈｂ２−Ｈｐ２）、上記差（Ｈｂ３−Ｈｐ３）又は上記差（Ｈｂ４−Ｈｐ４）が、１４ｍｍ以上である請求項１に記載のゴルフ用手袋。
【請求項３】
上記差（Ｈｂ２−Ｈｐ２）、上記差（Ｈｂ３−Ｈｐ３）及び上記差（Ｈｂ４−Ｈｐ４）のすべてが、１３ｍｍ以上である請求項１又は２に記載のゴルフ用手袋。
【請求項４】
上記甲側地の色が上記マチの色と異なる請求項１から３のいずれかに記載のゴルフ用手袋。
【請求項５】
上記甲側地と上記マチとの色差ΔＥが２０以上である請求項４に記載のゴルフ用手袋。
【請求項６】
上記マチが、上記甲側地よりも伸縮性に優れる請求項１から５のいずれかに記載のゴルフ用手袋。
【発明の詳細な説明】
【技術分野】
【０００１】
本発明は、ゴルフプレーヤーに着用される手袋に関する。詳細には、本発明は、甲側地、掌側地及びマチを備えたゴルフ用手袋に関する。
【背景技術】
【０００２】
ゴルフクラブのグリップは、一般的には、ゴム又はエラストマーから成形されている。ゴルフプレーヤーは、グリップを、手で把持する。スイング時の、このグリップとの摩擦により、手に肉刺ができることがある。肉刺の抑制の目的で、ゴルフプレーヤーは手袋を着用する。手袋は、手の日焼けを防止する。手袋はさらに、手とグリップとのスリップを抑制する。
【０００３】
通常ゴルフプレーヤーは、利き手ではない手に、手袋を着用する。右利きのゴルフプレーヤーは、左手に手袋を着用する。左利きのゴルフプレーヤーは、右手に手袋を着用する。両手に手袋を着用するプレーヤーもいる。ゴルフに適した手袋が、特開２００９−２２３８９公報に記載されている。
【先行技術文献】
【特許文献】
【０００４】
【特許文献１】特開２００９−２２３８９公報
【発明の概要】
【発明が解決しようとする課題】
【０００５】
プレーヤーの精神状態は、スイングに大きな影響を与える。精神的に安定した状態でのプレーが、好成績につながる。プレーヤーは、他のプレーヤーの視線が気になる。特に女性のプレーヤーは、綺麗に見られることを好む。綺麗に見られているという感情が、好成績につながる。女性のプレーヤーは、指が細長いと見られることを好む。
【０００６】
本発明の目的は、指が細長く見えるゴルフ用手袋の提供にある。
【課題を解決するための手段】
【０００７】
本発明に係るゴルフ用手袋は、
（１）甲部、親指部、人差し指部、中指部、薬指部及び小指部を有する甲側地、
（２）掌部、親指部、人差し指部、中指部、薬指部及び小指部を有する掌側地、
並びに
（３）甲側地と掌側地との間に位置するマチ
を備える。甲側地の人差し指部の高さＨｂ２と掌側地の人差し指部の高さＨｐ２との差（Ｈｂ２−Ｈｐ２）、甲側地の中指部の高さＨｂ３と掌側地の中指部の高さＨｐ３との差（Ｈｂ３−Ｈｐ３）、又は甲側地の薬指部の高さＨｂ４と掌側地の薬指部の高さＨｐ４との差（Ｈｂ４−Ｈｐ４）は、１３ｍｍ以上である。
【０００８】
好ましくは、差（Ｈｂ２−Ｈｐ２）、差（Ｈｂ３−Ｈｐ３）又は差（Ｈｂ４−Ｈｐ４）は、１４ｍｍ以上である。
【０００９】
好ましくは、差（Ｈｂ２−Ｈｐ２）、差（Ｈｂ３−Ｈｐ３）及び差（Ｈｂ４−Ｈｐ４）のすべては、１３ｍｍ以上である。
【００１０】
好ましくは、甲側地の色は、マチの色と異なる。好ましくは、甲側地とマチとの色差ΔＥは、２０以上である。
【００１１】
好ましくは、マチは、甲側地よりも伸縮性に優れる。
【発明の効果】
【００１２】
本発明に係る手袋を着用したプレーヤーの指は、細長く見える。この手袋は、プレーヤーに精神的安定をもたらす。この手袋を着用したプレーヤーは、よいスイングでゴルフボールを打撃できる。
【図面の簡単な説明】
【００１３】
【図１】図１は、本発明の一実施形態に係る手袋が示された正面図である。
【図２】図２は、図１の手袋が示された背面図である。
【図３】図３は、図１の手袋の中指部が示された拡大断面図である。
【図４】図４は、図１の手袋の一部が示された拡大断面図である。
【発明を実施するための形態】
【００１４】
以下、適宜図面が参照されつつ、好ましい実施形態に基づいて本発明が詳細に説明される。
【００１５】
図１には、甲側から見られた手袋１が示されている。図２には、掌側から見られた手袋１が示されている。この手袋１は、左手に着用される。右手に着用される手袋は、図１及び２に示された手袋１の形状がミラー反転した形状を有する。
【００１６】
この手袋１は、甲側地２、掌側地４及びマチ６からなる。甲側地２と掌側地４とは、接合されている。接合は、部分的には、甲側地２と掌側地４とが縫合されることで達成されている。さらに、接合は、部分的には、マチ６を介して達成されている。
【００１７】
図１に示されるように、甲側地２は、甲部８、親指部１０、人差し指部１２、中指部１４、薬指部１６及び小指部１８からなる。甲部８、人差し指部１２、中指部１４、薬指部１６及び小指部１８は、１つの生地が裁断されることで得られる。親指部１０は、他の生地が裁断されることで得られる。親指部１０は、糸１９によって甲部８に縫い付けられている。甲部８と親指部１０との間に、ニット等から形成された伸縮部が存在してもよい。
【００１８】
甲側地２の材質は、合成皮革である。織物に合成樹脂が塗布されることにより、合成皮革が得られる。甲側地２は、ゴルフクラブと直接には接触しない。従って、甲側地２には、高い摩擦係数は必要ない。さらっと感のある合成樹脂が織物に塗布されることにより、甲側地２が得られうる。甲側地２が、天然皮革、人工皮革又は合成繊維から得られてもよい。
【００１９】
図１において、矢印Ｈｂ２で示されているのは人差し指部１２の高さであり、矢印Ｈｂ３で示されているのは中指部１４の高さであり、矢印Ｈｂ４で示されているのは薬指部１６の高さである。高さＨｂ２は、人差し指部１２と中指部１４との間の谷から人差し指部１２の先端までの距離である。高さＨｂ３は、中指部１４と薬指部１６との間の谷から中指部１４の先端までの距離である。高さＨｂ４は、薬指部１６と小指部１８との間の谷から薬指部１６の先端までの距離である。高さＨｂ２、高さＨｂ３及び高さＨｂ４は、手袋１が平坦な台に押しつけられた状態で測定される。
【００２０】
図２に示されるように、掌側地４は、掌部２０、親指部２２、人差し指部２４、中指部２６、薬指部２８及び小指部３０からなる。掌部２０、人差し指部２４、中指部２６、薬指部２８及び小指部３０は、１つの生地が裁断されることで得られる。親指部２２は、他の生地が裁断されることで得られる。親指部２２は、糸３２によって甲部８に縫い付けられている。
【００２１】
掌側地４の材質は、合成皮革である。織物に合成樹脂が塗布されることにより、合成皮革が得られる。掌側地４は、ゴルフクラブと直接に接触する部分である。手袋１とゴルフクラブとのスリップを抑制する目的で、掌側地４に摩擦係数の大きい合成皮革が用いられている。しっとり感のある合成樹脂が織物に塗布されることにより、摩擦係数の大きい合成皮革が得られうる。表面に多数の微小凹凸模様を備えた合成皮革が、掌側地４に用いられてもよい。この凹凸模様によって、手袋１とグリップとのスリップが抑制されうる。掌側地４が、天然皮革、人工皮革又は合成繊維から得られてもよい。
【００２２】
図２において、矢印Ｈｐ２で示されているのは人差し指部２４の高さであり、矢印Ｈｐ３で示されているのは中指部２６の高さであり、矢印Ｈｐ４で示されているのは薬指部２８の高さである。高さＨｐ２は、人差し指部２４と中指部２６との間の谷から人差し指部２４の先端までの距離である。高さＨｐ３は、中指部２６と薬指部２８との間の谷から中指部２６の先端までの距離である。高さＨｐ４は、薬指部２８と小指部３０との間の谷から薬指部２８の先端までの距離である。高さＨｐ２、高さＨｐ３及び高さＨｐ４は、手袋１が平坦な台に押しつけられた状態で測定される。
【００２３】
図１−３に示されるように、マチ６は、甲側地２と掌側地４との間に位置している。マチ６は、糸３４によって甲側地２に縫い付けられている。さらにマチ６は、糸３６によって掌側地４に縫い付けられている。マチ６は、甲側地２よりも伸縮性に優れている。典型的には、マチ６は、ニットからなる。ニットとは、編み物又は編み物に似せて織られた織物を意味する。ニットの材質として、ポリウレタン、ポリエステル及びナイロンが例示される。
【００２４】
図４に示されるように、甲側地２の人差し指部１２の高さＨｂ２は、掌側地４の人差し指部２４の高さＨｐ２よりも大きい。従って、人差し指部と中指部との間のマチ６には、水かき３８が形成されている。
【００２５】
図１に示された甲側地２の中指部１４の高さＨｂ３は、図２に示された掌側地４の中指部２６の高さＨｐ３よりも大きい。従って、中指部と薬指部との間のマチ６には、水かき（図示されず）が形成されている。図１に示された甲側地２の薬指部１６の高さＨｂ４は、図２に示された掌側地４の薬指部２８の高さＨｐ４よりも大きい。従って、薬指部と小指部との間のマチ６には、水かき（図示されず）が形成されている。
【００２６】
掌側地４よりも甲側地２の方が、他のプレーヤーに見られる頻度が高い。甲側地２における高さＨｂ２が掌側地４における高さＨｐ２よりも大きな手袋１では、指が細長く見える。さらに、高さＨｂ２が高さＨｐ２よりも大きな手袋１では、水かき３８の距離Ｌが大きい。前述の通り水かき３８（マチ６）は伸縮性に優れているので、距離Ｌが大きな手袋１はフィット感に優れる。これらの観点から、差（Ｈｂ２−Ｈｐ２）は１３ｍｍ以上が好ましく、１４ｍｍ以上が特に好ましい。
【００２７】
指が細長く見えるとの観点及びフィット感に優れるとの観点から、差（Ｈｂ３−Ｈｐ３）も１３ｍｍ以上が好ましく、１４ｍｍ以上が特に好ましい。指が細長く見えるとの観点及びフィット感に優れるとの観点から、差（Ｈｂ４−Ｈｐ４）も１３ｍｍ以上が好ましく、１４ｍｍ以上が特に好ましい。
【００２８】
差（Ｈｂ２−Ｈｐ２）、差（Ｈｂ３−Ｈｐ３）及び差（Ｈｂ４−Ｈｐ４）のうちのいずれかが１３ｍｍ以上であれば、前述の効果が得られる。差（Ｈｂ２−Ｈｐ２）、差（Ｈｂ３−Ｈｐ３）及び差（Ｈｂ４−Ｈｐ４）のすべてが１３ｍｍ以上であることが好ましく、１４ｍｍ以上であることが特に好ましい。
【００２９】
指が細長く見えるとの観点から、甲側地２の色がマチ６の色と異なることが好ましい。甲側地２とマチ６との色差ΔＥは、２０以上が好ましく、３０以上がより好ましく、４０以上が特に好ましい。
【００３０】
色差ΔＥは、下記の数式に基づいて算出される。
ΔＥ＝（（ΔＬ＊）２＋（Δａ＊）２＋（Δｂ＊）２）１／２
この数式において、ΔＬ＊は甲側地２の指数Ｌ＊とマチ６の指数Ｌ＊との差であり、Δａ＊は甲側地２の指数ａ＊とマチ６の指数ａ＊との差であり、Δｂ＊は甲側地２の指数ｂ＊とマチ６の指数ｂ＊との差である。Ｌ＊、ａ＊及びｂ＊は、ＣＩＥＬＡＢ表示系における指数である。指数Ｌ＊、ａ＊及びｂ＊は、下記数式によって算出される。
Ｌ＊ ＝ １１６（Ｙ／Ｙｎ）１／３ − １６
ａ＊ ＝ ５００（（Ｘ／Ｘｎ）１／３ − （Ｙ／Ｙｎ）１／３）
ｂ＊ ＝ ２００（（Ｙ／Ｙｎ）１／３ − （Ｚ／Ｚｎ）１／３）
これら数式において、Ｘ、Ｙ及びＺはＸＹＺ表示系における三刺激値であり、Ｘｎ、Ｙｎ及びＺｎは完全拡散反射面の三刺激値である。ＣＩＥＬＡＢ表示系は、国際照明委員会（ＣＩＥ）によって１９７６年に決定された規格である。日本では、「ＪＩＳ  Ｚ  ８７２９」において、ＣＩＥＬＡＢ表示系が採用されている。Ｌ＊は、明度の指数である。ａ＊及びｂ＊は、色相及び彩度と相関する指数である。ａ＊のマイナス方向は緑方向であり、プラス方向は赤方向である。ｂ＊のマイナス方向は青方向であり、プラス方向は黄方向である。指数の測定は、ミノルタ社の色彩色差計「ＣＭ−３５００ｄ」によってなされる。受光部が甲側地２又はマチ６の表面に当てられ、測定がなされる。光源には、「標準の光Ｄ６５」が採用される。この光源の色温度は、６５０４ｋである。分光感度としては、「２°視野」が採用される。孔径として、８ｍｍが採用される。
【００３１】
マチ６の１０％伸張時の引張り荷重Ｆ１の、甲側地２の１０％伸張時の引張り荷重Ｆ２に対する比（Ｆ１／Ｆ２）は、１．０／１．５以下が好ましい。比（Ｆ１／Ｆ２）が１．０／１．５以下である手袋１は、フィット感に優れる。この観点から、比（Ｆ１／Ｆ２）は、１．０／３．０以下がより好ましく、１．０／５．０以下が特に好ましい。比（Ｆ１／Ｆ２）は、１．０／５０．０以上が好ましい。
【００３２】
引張り荷重Ｆ１及びＦ２は、引張り試験機によって測定されうる。試験片は、短冊状である。この試験片の幅は５０ｍｍであり、長さは３００ｍｍである。標線間距離は５０ｍｍであり、引張り速度は２００ｍｍ／ｍｉｎである。試験片は、甲側地２及びマチ６の原反から切り出される。試験は、２３℃の環境下で行われる。
【００３３】
原反の伸縮性に方向性がある場合、最も引張り荷重が小さい方向と、これに直交する方向とにおいて、測定がなされる。両者が平均されて、引張り荷重Ｆ１又はＦ２が算出される。
【実施例】
【００３４】
以下、実施例によって本発明の効果が明らかにされるが、この実施例の記載に基づいて本発明が限定的に解釈されるべきではない。
【００３５】
［実施例１］
図１−４に示される手袋を製作した。この手袋の甲側地及び掌側地は、合成皮革から形成された。この手袋のマチは、ニットから形成された。マチは、甲側地に比べて伸縮性に優れる。甲側地の色は白であり、マチの色は紺である。この手袋の指の高さが、下記の表１に示されている。
【００３６】
［実施例２−４及び比較例］
指の高さを下記の表１に示される通りとした他は実施例１と同様にして、実施例２−４及び比較例の手袋を得た。
【００３７】
［外観］
手袋をプレーヤーに着用させ、指が細長く見える程度を格付けさせた。この結果が、下記の表１に示されている。
【００３８】
［フィット感］
手袋を着用したプレーヤーにゴルフクラブを把持させ、フィット感を格付けさせた。この結果が、下記の表１に示されている。
【００３９】
【表１】
2014223121.tif 000003
【００４０】
表１に示されるように、各実施例の手袋は、外観及びフィット感に優れている。この評価結果から、本発明の優位性は明らかである。
【産業上の利用可能性】
【００４１】
本発明に係る手袋は、女性のゴルフプレーヤーのみならず、男性のゴルフプレーヤーにも適している。
【符号の説明】
【００４２】
１・・・手袋
２・・・掌側地
４・・・甲側地
６・・・マチ
３８・・・水かき
【図１】
2014223121.tif 000004
【図２】
2014223121.tif 000005
【図３】
2014223121.tif 000006
【図４】
2014223121.tif 000007